【手続補正書】
【提出日】平成17年5月16日(2005.5.16)
【手続補正１】
【補正対象書類名】明細書
【補正対象項目名】特許請求の範囲
【補正方法】変更
【補正の内容】
【特許請求の範囲】
【請求項１】
表示状態が変化可能な可変表示装置を有する遊技機であって、
遊技状態に応じて所定の可変表示条件が成立したことを検出し、検出したことを示す検知情報を出力する検出手段と、
前記検出手段により前記可変表示条件が成立したことが検出されたときに前記可変表示装置の表示結果を導出表示させる可変表示制御を行なう可変表示制御手段と、
前記可変表示条件の成立を表わす可変表示条件成立情報を該可変表示条件の成立ごとに遊技機外部へ出力可能な遊技情報出力手段とを有し、
前記遊技情報出力手段は、
前記検知情報を記憶する検知情報記憶手段と、
前記可変表示条件成立情報を出力してから所定時間が経過する以前に前記検出手段から前記検知情報が入力されたときには、前記検知情報を前記検知情報記憶手段に記憶させておき、前記所定時間が経過したときに前記検知情報記憶手段の記憶に基づいて前記可変表示条件成立情報を出力することにより、前記可変表示条件成立情報の出力間隔が予め定められた期間以上となるように制御する発信制御手段とを備えることを特徴とする、遊技機。
【請求項２】
前記可変表示制御が行なわれている最中に前記可変表示条件が成立したときに、予め定められた記憶数の範囲内で前記可変表示条件の成立回数を加算記憶可能であるとともに、前記可変表示制御手段による可変表示制御が実行されるごとにその成立回数の記憶を減算更新する条件成立回数記憶手段をさらに有し、
前記可変表示制御手段は前記可変表示制御を終了した後、再度可変表示制御可能となったときに前記条件成立回数記憶手段の記憶に基づいて前記可変表示制御を行ない、
前記発信制御手段が出力する前記可変表示条件成立情報は、前記条件成立回数記憶手段の記憶数の上限を超えているか否かにかかわらず成立した可変表示条件である全可変表示条件の成立を表わす全可変表示条件成立情報であり、
前記遊技情報出力手段は、前記条件成立回数記憶手段の記憶数の範囲内で成立して前記可変表示制御が有効に行なわれる有効可変表示条件の成立を表わす有効可変表示条件成立情報を出力する有効情報発信制御手段を含み、
さらに前記有効情報発信制御手段は、前記有効可変表示条件の成立に基づいた可変表示制御が開始してから所定時期に前記有効可変表示条件成立情報を出力可能であることを特徴とする、請求項１記載の遊技機。
【請求項３】
前記有効情報発信制御手段は、前記有効可変表示条件の成立に基づいた可変表示装置の表示結果が導出表示された以降に前記有効可変表示条件成立情報を出力することを特徴とする、請求項２記載の遊技機。
【手続補正２】
【補正対象書類名】明細書
【補正対象項目名】０００６
【補正方法】変更
【補正の内容】
【０００６】
【課題を解決するための手段】
請求項１記載の本発明は、表示状態が変化可能な可変表示装置を有する遊技機であって、
遊技状態に応じて所定の可変表示条件が成立したことを検出し、検出したことを示す検知情報を出力する検出手段と、
前記検出手段により前記可変表示条件が成立したことが検出されたときに前記可変表示装置の表示結果を導出表示させる可変表示制御を行なう可変表示制御手段と、
前記可変表示条件の成立を表わす可変表示条件成立情報を該可変表示条件の成立ごとに遊技機外部へ出力可能な遊技情報出力手段とを有し、
前記遊技情報出力手段は、
前記検知情報を記憶する検知情報記憶手段と、
前記可変表示条件成立情報を出力してから所定時間が経過する以前に前記検出手段から前記検知情報が入力されたときには、前記検知情報を前記検知情報記憶手段に記憶させておき、前記所定時間が経過したときに前記検知情報記憶手段の記憶に基づいて前記可変表示条件成立情報を出力することにより、前記可変表示条件成立情報の出力間隔が予め定められた期間以上となるように制御する発信制御手段とを備えることを特徴とする。
【手続補正３】
【補正対象書類名】明細書
【補正対象項目名】０００７
【補正方法】変更
【補正の内容】
【０００７】
請求項２記載の本発明は、請求項１記載の発明の構成に加えて、前記可変表示制御が行なわれている最中に前記可変表示条件が成立したときに、予め定められた記憶数の範囲内で前記可変表示条件の成立回数を加算記憶可能であるとともに、前記可変表示制御手段による可変表示制御が実行されるごとにその成立回数の記憶を減算更新する条件成立回数記憶手段をさらに有し、
前記可変表示制御手段は前記可変表示制御を終了した後、再度可変表示制御可能となったときに前記条件成立回数記憶手段の記憶に基づいて前記可変表示制御を行ない、
前記発信制御手段が出力する前記可変表示条件成立情報は、前記条件成立回数記憶手段の記憶数の上限を超えているか否かにかかわらず成立した可変表示条件である全可変表示条件の成立を表わす全可変表示条件成立情報であり、
前記遊技情報出力手段は、前記条件成立回数記憶手段の記憶数の範囲内で成立して前記可変表示制御が有効に行なわれる有効可変表示条件の成立を表わす有効可変表示条件成立情報を出力する有効情報発信制御手段を含み、
さらに前記有効情報発信制御手段は、前記有効可変表示条件の成立に基づいた可変表示制御が開始してから所定時期に前記有効可変表示条件成立情報を出力可能であることを特徴とする。
【手続補正４】
【補正対象書類名】明細書
【補正対象項目名】０００８
【補正方法】変更
【補正の内容】
【０００８】
請求項３記載の本発明は、請求項２記載の発明の構成に加えて、前記有効情報発信制御手段は、前記有効可変表示条件の成立に基づいた可変表示装置の表示結果が導出表示された以降に前記有効可変表示条件成立情報を出力することを特徴とする。
【手続補正５】
【補正対象書類名】明細書
【補正対象項目名】０００９
【補正方法】変更
【補正の内容】
【０００９】
【作用】
請求項１記載の本発明によれば、検出手段の働きにより、遊技状態に応じて所定の可変表示条件が成立したことを検出し、検出したことを示す検知情報が出力される。前記検出手段により前記可変表示条件が成立したことが検出されたときに、可変表示制御手段の働きにより、前記可変表示装置の表示結果を導出表示させる可変表示制御が行なわれる。さらに遊技情報出力手段の働きにより、前記可変表示条件の成立を表わす可変表示条件成立情報が該可変表示条件の成立ごとに遊技機外部へ出力される。前記遊技情報出力手段に備えられる検知情報記憶手段の働きにより、前記検知情報が記憶される。前記遊技情報出力手段に備えられる発信制御手段の働きにより、前記可変表示条件成立情報が出力されてから所定時間が経過する以前に前記検出手段から前記検知情報が入力されたときには、前記検知情報が前記検知情報記憶手段に記憶され、前記所定時間が経過したときに前記検知情報記憶手段の記憶に基づいて前記可変表示条件成立情報が出力される。このことにより、前記可変表示条件成立情報の出力間隔が予め定められた期間以上となるように制御される。
【手続補正６】
【補正対象書類名】明細書
【補正対象項目名】００１０
【補正方法】変更
【補正の内容】
【００１０】
請求項２記載の本発明によれば、請求項１記載の発明の作用に加えて、条件成立回数記憶手段の働きにより、前記可変表示制御が行なわれている最中に前記可変表示条件が成立したときに、予め定められた記憶数の範囲内で可変表示条件の成立回数が加算記憶されるとともに、前記可変表示制御手段による可変表示制御が実行されるごとにその成立回数の記憶が減算更新される。また、前記可変表示制御手段の働きにより、前記可変表示制御が終了した後、再度可変表示制御可能となったときに前記条件成立回数記憶手段の記憶に基づいて前記可変表示制御が行なわれる。そして、前記発信制御手段が出力する前記可変表示条件成立情報は、前記条件成立回数記憶手段の記憶数の上限を超えているか否かにかかわらず成立した可変表示条件である全可変表示条件の成立を表わす全可変表示条件成立情報である。有効情報発信制御手段の働きにより、前記条件成立回数記憶手段の記憶数の範囲内で成立して前記可変表示制御が有効に行なわれる有効可変表示条件の成立を表わす有効可変表示条件成立情報が出力されて、さらに前記有効可変表示条件成立情報については、前記有効可変表示条件の成立に基づいた可変表示制御が開始してから所定時期に出力される。
【手続補正７】
【補正対象書類名】明細書
【補正対象項目名】００１１
【補正方法】変更
【補正の内容】
【００１１】
請求項３記載の本発明によれば、請求項２記載の発明の作用に加えて、前記有効情報発信制御手段の働きにより、前記有効可変表示条件の成立に基づいた可変表示装置の表示結果が導出表示された以降に前記有効可変表示条件成立情報が出力される。